(57)【要約】【課題】  ノーマルモードインピーダンスを低減し、かつ高いコモンモードインピーダンスを有する積層型コモンモードチョークコイルを提供すること。【解決手段】  同方向の上下分離型スパイラル巻きとした第１及び第２内部導体３１、３２を形成する非磁性絶縁材料層２０と、非磁性絶縁材料層２０の上下両面に配置された第１及び第２磁性材料層１５、１６とを具備してなる積層体に、第１及び第２内部導体３１、３２に接続された外部電極が設けられ、非磁性絶縁材料層２０は、第１渦巻状導体３１ａを配置した第２非磁性絶縁材料２２と、第２渦巻状導体３２ａを配置した第４非磁性絶縁材料２４と、第１及び第２外部電極接続導体３１ｂ、３２ｂが形成された第３非磁性絶縁材料２３とを有し、第１及び第２外部電極接続導体３１ｂ、３２ｂが、第３非磁性絶縁材料２３上に互いが短絡しないように１ターン以上設けられていることを特徴とする。【選択図】  図１
2005142332.tif 000002
【特許請求の範囲】
【請求項１】
複数の非磁性絶縁材料を積層し同方向の上下分離型スパイラル巻きとした第１及び第２内部導体を形成する非磁性絶縁材料層と、該非磁性絶縁材料層の上下両面に配置された磁性材料層とを具備してなる積層体に、前記第１及び第２内部導体に接続された外部電極が設けられた積層型コモンモードチョークコイルであって、
前記非磁性絶縁材料層は、１ターン以上のスパイラル巻きとした第１渦巻状導体を配置した非磁性絶縁材料Ａと、同様に１ターン以上のスパイラル巻きとした第２渦巻状導体を配置した非磁性絶縁材料Ｂと、前記第１及び第２渦巻状導体の一方の端部をそれぞれ前記外部電極に接続させる第１及び第２外部電極接続導体が形成された非磁性絶縁材料Ｃとを有し、
前記第１及び第２外部電極接続導体が、前記非磁性絶縁材料Ｃ上に互いが短絡しないように１ターン以上設けられていることを特徴とする積層型コモンモードチョークコイル。
【請求項２】
前記非磁性絶縁材料Ａと、前記非磁性絶縁材料Ｂとが隣接して積層されていることを特徴とする請求項１に記載の積層型コモンモードチョークコイル。
【請求項３】
前記第１内部導体の有効長さと、前記第２内部導体の有効長さとが同じとされていることを特徴とする請求項１または２に記載の積層型コモンモードチョークコイル。
【請求項４】
複数の非磁性絶縁材料を積層し同方向の上下分離型スパイラル巻きとした第１及び第２内部導体を形成する非磁性絶縁材料層と、該非磁性絶縁材料層の上下両面に配置された磁性材料層とを具備してなる積層体に、前記第１及び第２内部導体に接続された外部電極が設けられ、
前記非磁性絶縁材料層は、１ターン以上のスパイラル巻きとした第１渦巻状導体を配置した非磁性絶縁材料Ａと、同様に１ターン以上のスパイラル巻きとした第２渦巻状導体を配置した非磁性絶縁材料Ｂと、前記第１及び第２渦巻状導体の一方の端部をそれぞれ前記外部電極に接続させる第１及び第２外部電極接続導体が形成された非磁性絶縁材料Ｃとを有し、
前記第１及び第２外部電極接続導体が、前記非磁性絶縁材料Ｃ上に互いが短絡しないように１ターン以上設けたことを特徴とする積層型コモンモードチョークコイルの製造方法。
【請求項５】
前記非磁性絶縁材料Ａと、前記非磁性絶縁材料Ｂとを隣接して積層することを特徴とする請求項４に記載の積層型コモンモードチョークコイルの製造方法。
【請求項６】
前記第１内部導体の有効長さと、前記第２内部導体の有効長さの和とが同じとされていることを特徴とする請求項４または５に記載の積層型コモンモードチョークコイルの製造方法。
【発明の詳細な説明】
【技術分野】
【０００１】
本発明は、電子機器に侵入するコモンモードノイズを除去する積層型コモンモードチョークコイル及びその製造方法に関する。
【背景技術】
【０００２】
従来より、パーソナルコンピュータやその周辺機器で採用されているＵＳＢ（Universal Serial Bus）、ＩＥＥＥ１３９４（Institute of Electrical and Electronics Engineers 1394）及びＬＤＶＳ（Low Voltage Differential Signaling）といった高速の差動伝送方式のラインに流れるコモンモードノイズを除去するために、積層型コモンモードチョークコイルが使用されている。
【０００３】
この積層型コモンモードチョークコイルは、複数の非磁性絶縁材料の表面に導体を形成し、これを積層することによって形成された２つ以上のコイルを磁気的に組み合わせたコイルのことであり、電流の伝導方向におけるノーマルモードの成分には影響を与えないようにしてコモンモードの成分のみを除去するように構成したものである。
【０００４】
このような積層型コモンモードチョークコイルにおいて、異なる非磁性絶縁材料の表面にスパイラル巻きとした２つの渦巻状導体と、これら２つの渦巻状導体及び外部電極をそれぞれ接続する外部電極接続導体とをそれぞれ形成して２つのコイル導体を構成することによって、上下分離型スパイラル巻きとした積層型コモンモードチョークコイルが提案されている（例えば、特許文献１参照。）。
【特許文献１】特開平８−２０３７３７号公報（図１）
【発明の開示】
【発明が解決しようとする課題】
【０００５】
しかしながら、上記従来の積層型コモンモードチョークコイルにおいては、２つの外部電極接続導体が、渦巻状導体が形成された非磁性絶縁材料とは異なるシート上に形成されているため、２つの外部電極接続導体が磁気結合に寄与せず、ノーマルモード（ディファレンシャルモード）インピーダンスが高くなるという問題があった。
また、１つのシート上に渦巻状導体を形成する構造では、チップが小型化した場合に寸法の制約のため、磁気結合に対して十分な長さが得られなくなり、高いコモンモードインピーダンスを得ることができなくなるという問題があった。
本発明は、上記事情に鑑みてなされたもので、ノーマルモードインピーダンスを低減し、かつ高いコモンモードインピーダンスを有する積層型コモンモードチョークコイルを提供することを主目的としている。
【課題を解決するための手段】
【０００６】
本発明は、前記課題を解決するために以下の構成を採用した。すなわち、本発明にかかる積層型コモンモードチョークコイルは、複数の非磁性絶縁材料を積層し同方向の上下分離型スパイラル巻きとした第１及び第２内部導体を形成する非磁性絶縁材料層と、該非磁性絶縁材料層の上下両面に配置された磁性材料層とを具備してなる積層体に、前記第１及び第２内部導体に接続された外部電極が設けられた積層型コモンモードチョークコイルであって、前記非磁性絶縁材料層は、１ターン以上のスパイラル巻きとした第１渦巻状導体を配置した非磁性絶縁材料Ａと、同様に１ターン以上のスパイラル巻きとした第２渦巻状導体を配置した非磁性絶縁材料Ｂと、前記第１及び第２渦巻状導体の一方の端部をそれぞれ前記外部電極に接続させる第１及び第２外部電極接続導体が形成された非磁性絶縁材料Ｃとを有し、前記第１及び第２外部電極接続導体が、前記非磁性絶縁材料Ｃ上に互いが短絡しないように１ターン以上設けられていることを特徴とする。
【０００７】
また、本発明にかかる積層型コモンモードチョークコイルの製造方法は、複数の非磁性絶縁材料を積層し同方向の上下分離型スパイラル巻きとした第１及び第２内部導体を形成する非磁性絶縁材料層と、該非磁性絶縁材料層の上下両面に配置された磁性材料層とを具備してなる積層体に、前記第１及び第２内部導体に接続された外部電極が設けられ、前記非磁性絶縁材料層は、１ターン以上のスパイラル巻きとした第１渦巻状導体を配置した非磁性絶縁材料Ａと、同様に１ターン以上のスパイラル巻きとした第２渦巻状導体を配置した非磁性絶縁材料Ｂと、前記第１及び第２渦巻状導体の一方の端部をそれぞれ前記外部電極に接続させる第１及び第２外部電極接続導体が形成された非磁性絶縁材料Ｃとを有し、前記第１及び第２外部電極接続導体が、前記非磁性絶縁材料Ｃ上に互いが短絡しないように１ターン以上設けたことを特徴とする。
【０００８】
この発明にかかる積層型コモンモードチョークコイル及びその製造方法によれば、第１及び第２外部電極接続導体が互いに短絡しないように第１及び第２内部導体と同方向で１ターン以上設けられることで、いわゆる２ラインのバイファイラ巻きが形成されるので、第１及び第２外部電極接続導体が、磁気結合に寄与する割合が増加し、ノーマルモードにおけるインピーダンスを低減させることができる。また、磁気結合に寄与する第１及び第２内部導体の長さを十分に確保することができるので、高いコモンモードインピーダンスを得ることができる。
【０００９】
また、本発明にかかる積層型コモンモードチョークコイルは、前記非磁性絶縁材料Ａと、前記非磁性絶縁材料Ｂとが隣接して積層されていることが好ましい。
また、本発明にかかる積層型コモンモードチョークコイルの製造方法は、前記非磁性絶縁材料Ａと、前記非磁性絶縁材料Ｂとを隣接して積層することが好ましい。
【００１０】
この発明にかかる積層型コモンモードチョークコイル及びその製造方法によれば、第１渦巻状導体が形成された非磁性絶縁材料Ａと、第２渦巻状導体が形成された非磁性絶縁材料Ｂとが隣接することで第１渦巻状導体と第２渦巻状導体との磁気結合への寄与が大きくなるため、よりコモンモードインピーダンスを増大させることができる。
【００１１】
また、本発明にかかる積層型コモンモードチョークコイルは、前記第１内部導体の有効長さと、前記第２内部導体の有効長さとが同じとされていることが好ましい。
また、本発明にかかる積層型コモンモードチョークコイルの製造方法は、前記第１内部導体の有効長さと、前記第２内部導体の有効長さの和とが同じとされていることが好ましい。
【００１２】
この発明によれば、有効長さの等しい第１内部導体と第２内部導体とは、互いに磁束を打ち消しあうことができるため、ノーマルモードインピーダンスを低減させることができる。
【発明の効果】
【００１３】
本発明の積層型コモンモードチョークコイル及びその製造方法によれば、第１及び第２外部電極接続導体が、互いに短絡しないように１ターン以上設けた２ラインのバイファイラ巻きとすることで、第１及び第２外部電極接続導体の磁気結合に寄与する割合が増加してノーマルモードインピーダンスを低減すると共に、第１及び第２内部導体の長さを十分に確保して高いコモンモードインピーダンスを得ることができる。
【発明を実施するための最良の形態】
【００１４】
以下、本発明による積層型コモンモードチョークコイル及びその製造方法の第１の実施形態を図面に基づいて説明する。なお、図１は本実施形態における積層型コモンモードチョークコイルの分解斜視図、図２は図１の完成状態を示す積層型コモンモードチョークコイルの外観斜視図、図３は本実施形態による積層型コモンモードチョークコイルの磁気結合の様子を示す分解斜視図である。
【００１５】
図１及び図２において、積層型コモンモードチョークコイル１０は、シート状とした複数枚の非磁性絶縁材料及び磁性材料を積層して一体化した構成とされる。また、略直方体形状の積層体とした積層型コモンモードチョークコイル１０の対向する２側面には、後述する２組の内部導体と引出電極を介して接続されている４つの外部電極１１〜１４が分配して設けられている。
図１に示す構成例では、積層体とした積層型コモンモードチョークコイル１０の上下両端面側に、それぞれが１又は複数層よりなる第１及び第２磁性材料層１５、１６を配置してある。そして、これら上下の第１及び第２磁性材料層１５、１６の間には、少なくとも３層よりなる非磁性絶縁材料層２０を配置してある。
【００１６】
第１及び第２磁性材料層１５、１６は、それぞれが磁性材料１５ａ、１５ｂ、１５ｃ及び磁性材料１６ａ、１６ｂ、１６ｃを３層に積層した構成とされる。ここで、第１及び第２磁性材料層１５、１６としては高透過率のものが好ましく、使用可能なシート状の磁性材料には、例えばＮｉ−Ｚｎフェライト、Ｎｉ−Ｚｎ−Ｃｕフェライトなどがある。
なお、第１及び第２磁性材料層１５、１６については、上述した３層に限定されることはなく、磁性材料の種類や厚みに応じて適宜変更することができる。
【００１７】
非磁性絶縁材料層２０は、上面側から第１非磁性絶縁材料２１、第２非磁性絶縁材料（非磁性絶縁材料Ａ）２２、第３非磁性絶縁材料（非磁性絶縁材料Ｃ）２３、第４非磁性絶縁材料（非磁性絶縁材料Ｂ）２４及び第５非磁性絶縁材料２５の順に、シート状の非磁性絶縁材料を５層に積層した構成とされる。ここで、非磁性絶縁材料層２０として使用可能なシート状の非磁性絶縁材料には、例えば、アルミナなどのセラミックス材料やシリカなどのガラス材料などがある。
なお、第１及び第５非磁性絶縁材料２１、２５については、諸条件に応じてなくしたり、あるいはそれぞれを２層以上としてもよい。
【００１８】
さて、上述した４層の非磁性絶縁材料のうち、中間部の第２から第４非磁性絶縁材料２２〜２４には、それぞれ上面に第１渦巻状導体３１ａ及び第１外部電極接続導体３１ｂで構成される第１内部導体３１と、第２渦巻状導体３２ａ及び第２外部電極接続導体３２ｂで構成される第２内部導体３２とが設けられている。なお、これら第１及び第２内部導体３１、３２は、例えば銀等の導電体を印刷やメッキ法など周知の手法により形成したものである。
【００１９】
このうち、第１渦巻状導体３１ａは、第２非磁性絶縁材料２２の上面に形成され、１ターン以上の渦巻状となっている。そして、第１渦巻状導体３１ａの一方の端部、すなわち渦巻きの外側となる端部には外部電極１２に接続される引出電極３５が形成されている。また、第１渦巻状導体３１ａの他方の端部、すなわち渦巻きの内側となる端部には、第２非磁性絶縁材料２２を貫通する第１スルーホールＨａが設けられている。この結果、第１渦巻き導体３１ａの他端側は、第１スルーホールＨａを介して、後述する第３非磁性絶縁材料２３側に形成されている第１外部電極接続導体３１ｂと電気的に接続されて上下分離型スパイラル巻きの上側となる第１内部導体３１が構成されている。
【００２０】
また、第１及び第２外部電極接続導体３１ｂ及び３２ｂは、第３非磁性絶縁材料２３の上面に形成され、１ターン以上の渦巻状となっている。そして、第１外部電極接続導体３１ｂの内側には第２外部電極接続導体３２ｂがほぼ平行に配置され、互いに短絡しないように設けられている。すなわち、第１外部電極接続導体３１ｂと第２外部電極接続導体３２ｂとを１つの組とした場合、この１組がいわゆる２ラインのバイファイラ巻きとなった渦巻状をしており、その渦巻き方向は、上面視において第１及び第２外部電極接続導体３１ｂ、３２ｂが共に同じ方向となっており、しかも、上述した第１渦巻状導体３１ａとも同方向となっている。
【００２１】
第１外部電極接続導体３１ｂの一方の端部、すなわち渦巻きの外側となる端部には外部電極１１に接続される引出電極３６が形成されている。また、第１外部電極接続導体３１ｂの他方の端部、すなわち渦巻きの内側となる端部が、第１スルーホールＨａを介して上述した第２非磁性絶縁材料２２に形成されている第１渦巻状導体３１ａと電気的に接続されている。
また、第２外部電極接続導体３２ｂの一方の端部、すなわち渦巻きの外側となる端部には外部電極１３に接続される引出電極３７が形成されている。また、第２外部電極接続導体３２ｂの他方の端部、すなわち渦巻きの内側となる端部には第３非磁性絶縁材料２３を貫通する第２スルーホールＨｂが設けられている。この結果、第２外部電極接続導体３２ｂの他端側は、第２スルーホールＨｂを介して、後述する第４非磁性絶縁材料２４側に形成されている第２渦巻き導体３２ａと電気的に接続されて上下分離型スパイラル巻きの下側となる第２内部導体３２が構成されている。
【００２２】
また、第２渦巻状導体３２ａは、第１渦巻状導体３１ａと同様に、第４非磁性絶縁材料２４の上面に形成され、１ターン以上の渦巻状となっている。この渦巻き方向は、上面視において上述した第１渦巻状導体３１ａや、第１及び第２外部電極接続導体３１ｂ、３２ｂと同方向となっている。
そして、第２渦巻状導体３２ａの一方の端部、すなわち渦巻きの外側となる端部には外部導体１４に接続される引出電極３８が形成されている。また、第２渦巻状導体３２ａの他方の端部、すなわち渦巻きの内側となる端部が、第２スルーホールＨｂを介して上述した第３非磁性絶縁材料２３に形成されている第２外部電極接続導体３２ｂと電気的に接続されている。
なお、第１及び第２内部導体３１、３２は、それぞれの有効長さが同じとされている。
【００２３】
以上のように構成された本発明の積層型コモンモードチョークコイル１０について、以下にその製造方法を説明する。
最初に、所定の形状（例えば矩形状）としたシート状の第１から第５非磁性絶縁材料２１〜２５を作製する。
次に、中間位置となる第２及び第３非磁性絶縁材料２２、２３の所定位置に、レーザ、パンチングなど周知の手法を用いて穴あけ加工を施し、第１及び第２スルーホールＨａ、Ｈｂを設ける。
【００２４】
次に、第２から第４非磁性絶縁材料２２〜２４の上面に、それぞれ１ターン以上の第１渦巻状導体３１ａ、第２渦巻状導体３２ａ、第１外部電極接続導体３１ｂ及び第２外部電極接続導体３２ｂを、印刷やメッキなど周知の手法を用いて互いに短絡しないように形成する。
【００２５】
この時、第１渦巻状導体３１ａの一端には引出電極３５が、第２渦巻状導体３２ａの一端には引出電極３８が、第１外部電極接続導体３１ｂ一端には引出電極３６が、そして第２外部電極接続導体３２ｂの一端には引出電極３７が、それぞれ一体に連続して形成されている。また、第１及び第２スルーホールＨａ、Ｈｂには、スルーホールを設けた非磁性絶縁材料に形成される導体と一体的に連続するよう銀などの導電材料が充填される。なお、スルーホールを介して接続される非磁性絶縁材料側の導体とは、導体側に図示しない凸状の電極部を設けるなどしてスルーホールの導電体に接触させ、電気的に接続されるようになっている。
【００２６】
次に、第１から第５非磁性絶縁材料２１〜２５を積層し、非磁性絶縁材料層２０を形成する。これにより、第１渦巻状導体３１ａ及び第１外部電極接続導体３１ｂが第１スルーホールＨａを介して電気的に接続され、また、第２渦巻状導体３２ａ及び第２外部電極接続導体３２ｂが第２スルーホールＨｂを介して電気的に接続される。このとき、第１及び第２内部導体３１、３２は、それぞれの有効長さが同じとされている。
なお、磁性材料層１５、１６は、非磁性絶縁材料層２０を挟み込むようにして上下に積層されることにより積層体を形成し、これを焼成することによって完成する。
【００２７】
また、上述したコモンモードチョークコイル１０は、各非磁性絶縁材料に対し所定のピッチで複数組の内部導体を形成して積層してもよく、この場合、ダイシングなどで切断することにより、上述した積層体を同時に多数製造することができる。
最後に、積層体の対向する両側面に露出した引出電極３５〜３８と接続させて、銀などの導電体からなる外部電極１１〜１４をそれぞれ形成し、上述した構成の積層型コモンモードチョークコイルを製造する。
なお、外部電極１１〜１４は、必要に応じて銀などの導電体の上面にメッキ処理を施してもよい。
【００２８】
このように構成された積層型コモンモードチョークコイル１０は、第１及び第２外部電極接続導体３１ｂ、３２ｂを２ラインのバイファイラ巻きとすることによって、磁気結合に寄与する内部導体の長さ十分に確保することでコモンモードにおけるインピーダンスを高くしてノイズ除去性能が向上した積層型コモンモードチョークコイル１０とすることができる。
また、第１内部導体３１と第２内部導体３２との有効長さが等しいため、この二つの磁束が打ち消しあい、ノーマルモードのインピーダンスをより低減することができる。
【００２９】
図３は、上述した積層型コモンモードチョークコイル１０において、コモンモード時における磁気結合の様子を示す図である。
この場合、第１及び第２外部電極接続導体３１ｂ、３２ｂが影響し合って矢印Ｚ１、Ｚ２のように磁気結合し、これと同時に第１及び第２渦巻状導体３１ａ、３２ａが影響しあって磁気結合する。この結果、矢印Ｚ３、Ｚ４で示すように、積層型コモンモードチョークコイル１０全体に大きな磁気結合が生じる。すなわち、第１及び第２外部電極接続導体３１ｂ、３２ｂを２ラインのバイファイラ巻きとして磁気結合に寄与する内部導体の長さを十分に確保することで高いコモンモードインピーダンスを有する積層型コモンモードチョークコイル１０となる。
【００３０】
次に、第２の実施形態について図４及び図５を参照しながら説明する。
なお、ここで説明する実施形態はその基本的構成が上述した第１の実施形態と同様であり、上述の第１の実施形態に別の要素を付加したものである。したがって、図４においては、図１と同一構成要素に同一符号を付し、この説明を省略する。
【００３１】
第２の実施形態と第１の実施形態との異なる点は、第１の実施形態における非磁性絶縁材料２０は、第１渦巻状導体３１ａが形成された第２非磁性絶縁材料２２と、第２渦巻状導体３２ａが形成された第４非磁性絶縁材料２４との間に第１及び第２外部電極接続導体３１ｂ、３２ｂが形成された第３非磁性絶縁材料２３が設けられた構成であるのに対して、第２の実施形態における積層型コモンモードチョークコイル４０における非磁性絶縁材料４１は、第１渦巻状導体３１ａが形成された第２非磁性絶縁材料２２と、第２渦巻状導体３２ａが形成された第４非磁性絶縁材料２４とが隣接して積層されている点である。
【００３２】
すなわち、非磁性絶縁材料層４１は、上面側から第１非磁性材料２１、第１及び第２外部電極接続導体３１ｂ、３２ｂが形成された第３非磁性絶縁材料２３、第１渦巻状導体３１ａが形成された第２非磁性絶縁材料２２、第２渦巻状導体３２ａが形成された第４非磁性絶縁材料２４及び第５非磁性絶縁材料２５の順に積層した構成とされている。
第１外部電極接続導体３１ｂと第１渦巻状導体３１ａとを電気的に接続する第３スルーホールＨｃが第３非磁性絶縁材料２３に設けられており、第２外部電極接続導体３２ｂと第２渦巻状導体３２ａとを電気的に接続する第４及び第５スルーホールＨｄ、Ｈｅがそれぞれ第３及び第２非磁性絶縁材料２３、２２にそれぞれ設けられている。
なお、第１及び第５非磁性絶縁材料２１、２５については、上述と同様に諸条件に応じてなくしたり、あるいはそれぞれを２層以上としてもよい。
【００３３】
以上のように構成された本発明の積層型コモンモードチョークコイル４０について、以下にその製造方法を説明する。
先ず、所定の形状（例えば矩形状）としたシート状の第１から第５非磁性絶縁材料２１〜２５を作製し、中間位置となる第３及び第２非磁性絶縁材料２３、２２の所定位置に、レーザ、パンチングなど周知の手法を用いて穴あけ加工を施すことによってスルーホールＨｃ、Ｈｄ、Ｈｅを設ける。
その後、第１の実施形態と同様の方法でコモンモードチョークコイル４０を製造する。
【００３４】
図５は、上述した積層型コモンモードチョークコイル４０において、コモンモード時における磁気結合の様子を示す図である。
この場合、上述と同様に、矢印Ｚ５及びＺ６のように磁気結合し、これと同時に第１及び第２渦巻状導体３１ａ、３２ａが影響しあって矢印Ｚ７及びＺ８で示すような積層型コモンモードチョークコイル４０全体に大きな磁気結合が生じる。ここで、第１渦巻状導体３１ａが形成された第２非磁性絶縁材料２２と、第２渦巻状導体３２ａが形成された第４非磁性絶縁材料２４とが隣接して積層されているため、第１及び第２渦巻状導体３１ａ、３２ａがより磁気結合しやすくなる。したがって、よりコモンモードインピーダンスの高い積層型コモンモードチョークコイル４０とすることができる。
【００３５】
ところで、本発明の構成は上述した実施形態に限定されるものではなく、本発明の要旨を逸脱しない範囲内において適宜変更することができる。
例えば、上述した積層型コモンモードチョークコイルは、上述した構成のものを複数組並べて、アレイ化することも可能である。
【図面の簡単な説明】
【００３６】
【図１】本発明にかかる第１の実施形態における積層型コモンモードチョークコイルを示す分解斜視図である。
【図２】本発明にかかる第１の実施形態における積層型コモンモードチョークコイルを示す外観斜視図である。
【図３】本発明にかかる第１の実施形態における積層型コモンモードチョークコイルの磁気結合の様子を示す分解斜視図である。
【図４】本発明にかかる第２の実施形態における積層型コモンモードチョークコイルを示す分解斜視図である。
【図５】本発明にかかる第２の実施形態における積層型コモンモードチョークコイルを示す外観斜視図である。
【図６】本発明にかかる第２の実施形態における積層型コモンモードチョークコイルの磁気結合の様子を示す分解斜視図である。
【符号の説明】
【００３７】
１０、４０  積層型コモンモードチョークコイル
１１〜１４  外部電極
１５  第１磁性材料層
１６  第２磁性材料層
２０、４１  非磁性絶縁材料層
２２  第２非磁性絶縁材料（非磁性絶縁材料Ａ）
２３  第３非磁性絶縁材料（非磁性絶縁材料Ｃ）
２４  第４非磁性絶縁材料（非磁性絶縁材料Ｂ）
３１  第１内部導体
３１ａ  第１渦巻状導体
３１ｂ  第１外部電極接続導体
３２  第２内部導体
３２ａ  第２渦巻状導体
３２ｂ  第２外部電極接続導体
【図１】
2005142332.tif 000003
【図２】
2005142332.tif 000004
【図３】
2005142332.tif 000005
【図４】
2005142332.tif 000006
【図５】
2005142332.tif 000007
【図６】
2005142332.tif 000008